(57)【要約】【課題】  プリンタの設置の自由度や操作性を向上させ、筐体内の制御部等に商用電源に由来するノイズが悪影響を及ぼさないように対策を施す。【解決手段】  ラベルプリンタ２０は、筐体２１の前面部２３に電源スイッチ４を設け、筐体２１内部に設けた電源部５と、筐体２１表面に設けられ、筐体２１の外部から供給される電源ケーブル７のプラグ８とを着脱可能に接続するインレットコネクタ６とを備える。インレットコネクタ６を筐体２１の底面部２２であって、かつ、筐体２１の前面部２３寄りに設ける。【選択図】        図２
2007232765.tif 000002
【特許請求の範囲】
【請求項１】
筐体と、該筐体前面部寄りに設けられた電源スイッチと、前記筐体内部に設けられた電源部と、前記筐体表面に設けられ、筐体外部から供給される電源ケーブルのプラグと着脱可能に接続されるインレットコネクタとを有するプリンタにおいて、前記インレットコネクタは、筐体底面部であり、かつ、筐体前面部寄りに設けたことを特徴とするプリンタ。
【請求項２】
前記筐体には、底面部を接置面から離間させる脚部を設け、該脚部が設置面との間に形成する隙間より筐体の前後左右自在に電源ケーブルを引き出せるようにするのと共に、前記隙間の大きさは、電源ケーブルのプラグがインレットコネクタから抜けるのを許容するように、前記脚部の高さがインレットコネクタとプラグの差込深さよりも大きく設定したことを特徴とする請求項１に記載のプリンタ。
【発明の詳細な説明】
【技術分野】
【０００１】
本発明は、筐体内の電源ケーブルより発生するノイズを低減できるようにしたプリンタに関する。
【背景技術】
【０００２】
図３、図４に従来技術によるラベルプリンタを示す。
【０００３】
図３は、ラベルプリンタ１を背面側から見た透過斜視図であり、図４は図３中の矢示IＶ−IＶ方向の断面図である。
【０００４】
ラベルプリンタ１は、筐体２の前面部３に電源スイッチ４が設けられ、背面部１１には電源コード７の（メス型）プラグ８と係合、接続されるインレットコネクタ６（オス型）が設けられている。
【０００５】
前記筐体２の内部には、電源部５、制御部１０が格納されている。
【０００６】
前記電源スイッチ４とインレットコネクタ６とは、内部電源ケーブル１２により結線されている。なお、図中９は筐体２の底面部に設けられた脚部である。
【０００７】
【特許文献１】特開２００１−３８９４３号公報
【発明の開示】
【発明が解決しようとする課題】
【０００８】
ところで、ラベルプリンタは前面操作が基本であるため、電源スイッチ４は前面部３側に設ける必要がある。
【０００９】
また、インレットコネクタ６は設置上あるいはデザイン上の要請により背面部１１に設けられていた。
【００１０】
然るに、図４に示す如く、電源スイッチ４を前面部３に、インレットコネクタ６を背面部１１に設けることにより、内部電源ケーブル１２の長さが筐体２の奥行寸法の２倍程度と長くなり、この部位より発生するコンダクティブノイズや、ラディエーションノイズが制御部１０の動作に悪影響を及ぼす恐れがあった。これを防止するにはノイズフィルターを挿入するのが一般的であるが、部品の増加と取付工数の増加を招き、コストアップを招いていた。
【００１１】
本発明は上記従来技術の問題点に鑑みなされたもので、本発明は設置の自由度や操作性を向上させると共に、筐体内部の制御部等に商用電源に由来するノイズが悪影響を及ぼさないように対策を施したプリンタを提供することを目的とする。
【課題を解決するための手段】
【００１２】
上記課題を解決するため、本発明のプリンタは、筐体と、該筐体前面部寄りに設けられた電源スイッチと、前記筐体内部に設けられた電源部と、前記筐体表面に設けられ、筐体外部から供給される電源ケーブルのプラグと着脱可能に接続されるインレットコネクタとを有するプリンタにおいて、前記インレットコネクタを筐体底面部、かつ、筐体前面部寄りに設けたことを特徴とする。
【００１３】
ここで、前記筐体には底面部を接置面から離間させる脚部を設け、該脚部が設置面との間に形成する隙間より筐体の前後左右自在に電源ケーブルを引き出せるようにするのと共に、前記隙間の大きさは、電源ケーブルのプラグがインレットコネクタから抜けるのを許容するように、前記脚部の高さを、インレットコネクタとプラグの差込深さよりも大きく設定するのが好ましい。
なお、上記「前面部寄り」とは、前面部およびその近傍を含む概念であって、前面部近傍の側面等も含むものである。
【発明の効果】
【００１４】
上記構成によれば、筐体内の電源ケーブルの引き回し距離が短縮できるので、この部分から放射されるノイズを低減できる。
【００１５】
そして、筐体と脚部との間の隙間から電源ケーブルを引き出すことにより、壁面などに背面部を接近させてプリンタを設置することができる。
さらに、脚部の高さをインレットコネクタと電源ケーブルのプラグとの差込深さよりも大とすることにより、電源ケーブルの自重でプラグがインレットコネクタから抜けるのを防止できるのと共に、電源ケーブルに不意の引っ掛けなどの事故がおきた場合には、電源ケーブルのプラグがインレットコネクタから抜けるので、落下を未然に防止できる。
【発明を実施するための最良の形態】
【００１６】
以下、本発明の実施の形態を図１および図２の図示例を用いて説明する。
【００１７】
図１および図２は発明を実施する形態の一例であって、図中、前記従来例で述べたのと同一の構成要素には同一符号を付し、その説明は省略する。
【００１８】
図１は前述した図３と同様の、ラベルプリンタ２０を背面部側から見た透過の斜視図であり、図２は図１中の矢示II−II方向の断面図である。
図１に示すように、ラベルプリンタ２０は、従来のラベルプリンタ１と同様筐体２１と、該筐体２１の前面部２３に設けられた電源スイッチ４と、前記筐体２１内部に設けられた電源部５と、筐体２１表面に設けられ、該筐体２１外部から供給される電源ケーブル７のプラグ８と着脱可能に接続されるインレットコネクタ６とを備えて構成されるものの、当該プリンタ２０では、前記インレットコネクタ６を筐体２１の底面部２２であり、かつ、筐体２１の前面部２３寄りに設けている。
【００１９】
また、前記筐体２１の底面部２２を接置面から離間させる脚部９には、該脚部９が設置面と筐体２１の底面部２２との間に隙間を形成し、この隙間より筐体の前後左右自在に電源ケーブル７が引き出せるような働きを持たせている。
【００２０】
そして、前記隙間の大きさは、電源ケーブル７の自重で電源ケーブル７のプラグ８がインレットコネクタ６から抜けるのを防止できるのと共に、電源ケーブル７への不意の足引っ掛けなどに際しては、電源ケーブル７のプラグ８がインレットコネクタ６から抜けるのを許容するように、インレットコネクタ６とプラグ８との差込深さよりも大きく設定している。
【００２１】
本実施の形態によるラベルプリンタ２０は以上の如き構成を有するもので、ラベルプリンタとしての基本的な動作については従来技術によるものと格別の際はない。
【００２２】
然るに、本実施の形態のラベルプリンタ２０では、筐体２１内の内部電源ケーブル１２の引き回し距離が短縮できるので、フィルタなどを用いなくても、この部分から放射されるコンダクティブノイズやラディエーションノイズを低減でき、制御部１０等の動作に悪影響を及ぼす危険性を可及的に小さくできる。
【００２３】
また、筐体２１の底面部２２と脚部９が設置面との間に形成する隙間から電源ケーブル７を引き出せるので、壁面などに背面部２４を接近させてラベルプリンタ２０を設置することができる。
【００２４】
さらに、脚部９の高さをインレットコネクタ６と電源ケーブル７のプラグ８との差込深さよりも大とすることにより、電源ケーブル７が自重で抜けるのを防止できるのと共に、電源ケーブル７に足引っ掛け等が起きた場合には電源ケーブル７のプラグ８がインレットコネクタ６から抜けるので、ラベルプリンタ２０が落下するような事故を未然に防止できる等、種々の効果を奏する。
【００２５】
尚、本発明に係るプリンタは、上述の図示例にのみ限定されるものではなく、特許請求の範囲に記載の要旨を逸脱しない範囲内において種々変更を加え得ることは勿論である。
【産業上の利用可能性】
【００２６】
本発明は、ドットインパクトプリンタ、インクジェットプリンタ、サーマルプリンタ、レーザープリンタおよびそれ以外の印字方式のプリンタやファックスなどにも利用できる。
【図面の簡単な説明】
【００２７】
【図１】本発明の実施の形態に係るラベルプリンタの背面側からの透過斜視図である。
【図２】図１中の矢示II-II方向断面図である。
【図３】従来技術に係るラベルプリンタを示す図１と同様の透過斜視図である。
【図４】図３中の矢示IＶ-IＶ方向断面図である。
【符号の説明】
【００２８】
４…電源スイッチ、５…電源部、６…インレットコネクタ、７…電源ケーブル、８…プラグ、９…脚部、１０…制御部、１２…内部電源ケーブル、２０…ラベルプリンタ、２１…筐体、２２…底面部、２３…前面部、２４…背面部
【図１】
2007232765.tif 000003
【図２】
2007232765.tif 000004
【図３】
2007232765.tif 000005
【図４】
2007232765.tif 000006